【手続補正書】
【提出日】平成20年9月8日(2008.9.8)
【手続補正１】
【補正対象書類名】特許請求の範囲
【補正対象項目名】全文
【補正方法】変更
【補正の内容】
【特許請求の範囲】
【請求項１】
読み取った原稿画像に基づいて、トナー画像を形成し、形成されたトナー画像を記録紙に転写する画像形成装置において、
充放電可能な補助電源と、
前記補助電源からの電力もしくは前記商用電源からの電力で駆動し、前記画像形成装置の動作モードに応じてシーケンシャルに動作する第１の負荷と、
前記商用電源からの電力で駆動し、前記画像形成装置の動作モードに応じてシーケンシャルに動作する第２の負荷と、
前記商用電源からの前記第１の負荷への電力の供給と、前記補助電源からの前記第１の負荷への電力の供給とを切り替える切替手段と、
前記画像形成装置の動作モードに応じて、前記第１の負荷、前記第２の負荷、及び前記切替手段をそれぞれシーケンシャルに駆動制御する制御手段と、
を備え、
前記制御手段は、前記商用電源からの電力で前記第１の負荷及び前記第２の負荷へ電力供給できないときに、前記補助電源からの電力を前記第１の負荷に供給するよう、前記切替手段を制御することを特徴とする画像形成装置。
【請求項２】
前記商用電源と前記第１の負荷との間に、前記商用電源を複数の電圧値のＤＣ電源に変換するＡＣ／ＤＣコンバータと、
前記補助電源と前記第１の負荷との間に、前記補助電源の出力を所定の電圧に変換するコンバータと、をさらに備え、
前記所定の電圧は、前記ＡＣ／ＤＣコンバータが出力する電圧のうちの一の電圧と同じ電圧値であることを特徴とする請求項１に記載の画像形成装置。
【請求項３】
前記補助電源は電気二重層コンデンサであることを特徴とする請求項１または２に記載の画像形成装置。
【手続補正２】
【補正対象書類名】明細書
【補正対象項目名】００１５
【補正方法】変更
【補正の内容】
【００１５】
上述した課題を解決し、目的を達成するために、請求項１にかかる発明は、読み取った原稿画像に基づいて、トナー画像を形成し、形成されたトナー画像を記録紙に転写する画像形成装置において、充放電可能な補助電源と、前記補助電源からの電力もしくは前記商用電源からの電力で駆動し、前記画像形成装置の動作モードに応じてシーケンシャルに動作する第１の負荷と、前記商用電源からの電力で駆動し、前記画像形成装置の動作モードに応じてシーケンシャルに動作する第２の負荷と、前記商用電源からの前記第１の負荷への電力の供給と、前記補助電源からの前記第１の負荷への電力の供給とを切り替える切替手段と、前記画像形成装置の動作モードに応じて、前記第１の負荷、前記第２の負荷、及び前記切替手段をそれぞれシーケンシャルに駆動制御する制御手段と、を備え、前記制御手段は、前記商用電源からの電力で前記第１の負荷及び前記第２の負荷へ電力供給できないときに、前記補助電源からの電力を前記第１の負荷に供給するよう、前記切替手段を制御することを特徴とする。
【手続補正３】
【補正対象書類名】明細書
【補正対象項目名】００１６
【補正方法】変更
【補正の内容】
【００１６】
この発明によれば、制御手段が、商用電源からの電力で第１の負荷及び第２の負荷へ電力供給できないときに、補助電源からの電力を第１の負荷に供給するよう、切替手段を制御することにより、定着温度の低下の回避が可能になる。
【手続補正４】
【補正対象書類名】明細書
【補正対象項目名】００１７
【補正方法】変更
【補正の内容】
【００１７】
また、請求項２にかかる画像形成装置にあっては、前記商用電源と前記第１の負荷との間に、前記商用電源を複数の電圧値のＤＣ電源に変換するＡＣ／ＤＣコンバータと、前記補助電源と前記第１の負荷との間に、前記補助電源の出力を所定の電圧に変換するコンバータと、をさらに備え、前記所定の電圧は、前記ＡＣ／ＤＣコンバータが出力する電圧のうちの一の電圧と同じ電圧値であることを特徴とする。
【手続補正５】
【補正対象書類名】明細書
【補正対象項目名】００１８
【補正方法】削除
【補正の内容】
【手続補正６】
【補正対象書類名】明細書
【補正対象項目名】００１９
【補正方法】変更
【補正の内容】
【００１９】
また、請求項３にかかる画像形成装置にあっては、前記補助電源は電気二重層コンデンサであることを特徴とする。
【手続補正７】
【補正対象書類名】明細書
【補正対象項目名】００２０
【補正方法】削除
【補正の内容】
【手続補正８】
【補正対象書類名】明細書
【補正対象項目名】００２１
【補正方法】削除
【補正の内容】
【手続補正９】
【補正対象書類名】明細書
【補正対象項目名】００２２
【補正方法】削除
【補正の内容】
【手続補正１０】
【補正対象書類名】明細書
【補正対象項目名】００２３
【補正方法】削除
【補正の内容】
【手続補正１１】
【補正対象書類名】明細書
【補正対象項目名】００２４
【補正方法】削除
【補正の内容】
【手続補正１２】
【補正対象書類名】明細書
【補正対象項目名】００２５
【補正方法】削除
【補正の内容】
【手続補正１３】
【補正対象書類名】明細書
【補正対象項目名】００２６
【補正方法】削除
【補正の内容】
【手続補正１４】
【補正対象書類名】明細書
【補正対象項目名】００２７
【補正方法】削除
【補正の内容】
【手続補正１５】
【補正対象書類名】明細書
【補正対象項目名】００２８
【補正方法】削除
【補正の内容】
【手続補正１６】
【補正対象書類名】明細書
【補正対象項目名】００２９
【補正方法】削除
【補正の内容】
【手続補正１７】
【補正対象書類名】明細書
【補正対象項目名】００３０
【補正方法】削除
【補正の内容】
【手続補正１８】
【補正対象書類名】明細書
【補正対象項目名】００３１
【補正方法】削除
【補正の内容】
【手続補正１９】
【補正対象書類名】明細書
【補正対象項目名】００３２
【補正方法】削除
【補正の内容】
【手続補正２０】
【補正対象書類名】明細書
【補正対象項目名】００３３
【補正方法】削除
【補正の内容】
【手続補正２１】
【補正対象書類名】明細書
【補正対象項目名】００３４
【補正方法】削除
【補正の内容】
【手続補正２２】
【補正対象書類名】明細書
【補正対象項目名】００３５
【補正方法】削除
【補正の内容】
【手続補正２３】
【補正対象書類名】明細書
【補正対象項目名】００３６
【補正方法】削除
【補正の内容】
【手続補正２４】
【補正対象書類名】明細書
【補正対象項目名】００３７
【補正方法】削除
【補正の内容】
【手続補正２５】
【補正対象書類名】明細書
【補正対象項目名】００３８
【補正方法】削除
【補正の内容】
【手続補正２６】
【補正対象書類名】明細書
【補正対象項目名】００３９
【補正方法】削除
【補正の内容】
【手続補正２７】
【補正対象書類名】明細書
【補正対象項目名】００４０
【補正方法】削除
【補正の内容】
【手続補正２８】
【補正対象書類名】明細書
【補正対象項目名】００４１
【補正方法】削除
【補正の内容】
【手続補正２９】
【補正対象書類名】明細書
【補正対象項目名】００４２
【補正方法】削除
【補正の内容】
【手続補正３０】
【補正対象書類名】明細書
【補正対象項目名】００４３
【補正方法】変更
【補正の内容】
【００４３】
本発明にかかる画像形成装置は、制御手段が、商用電源からの電力で第１の負荷及び第２の負荷へ電力供給できないときに、補助電源からの電力を第１の負荷に供給するよう、切替手段を制御することにより、省エネを図ることが可能となると共に、省エネ時の定着温度の低下を回避することができるという効果を奏する。
【手続補正３１】
【補正対象書類名】明細書
【補正対象項目名】００４４
【補正方法】削除
【補正の内容】
【手続補正３２】
【補正対象書類名】明細書
【補正対象項目名】００４５
【補正方法】削除
【補正の内容】
【手続補正３３】
【補正対象書類名】明細書
【補正対象項目名】００４６
【補正方法】削除
【補正の内容】
【手続補正３４】
【補正対象書類名】明細書
【補正対象項目名】００４７
【補正方法】削除
【補正の内容】
【手続補正３５】
【補正対象書類名】明細書
【補正対象項目名】００４８
【補正方法】削除
【補正の内容】
【手続補正３６】
【補正対象書類名】明細書
【補正対象項目名】００４９
【補正方法】削除
【補正の内容】
【手続補正３７】
【補正対象書類名】明細書
【補正対象項目名】００５０
【補正方法】削除
【補正の内容】
【手続補正３８】
【補正対象書類名】明細書
【補正対象項目名】００５１
【補正方法】削除
【補正の内容】
【手続補正３９】
【補正対象書類名】明細書
【補正対象項目名】００５２
【補正方法】削除
【補正の内容】
【手続補正４０】
【補正対象書類名】明細書
【補正対象項目名】００５３
【補正方法】削除
【補正の内容】
【手続補正４１】
【補正対象書類名】明細書
【補正対象項目名】００５４
【補正方法】削除
【補正の内容】
【手続補正４２】
【補正対象書類名】明細書
【補正対象項目名】００５５
【補正方法】削除
【補正の内容】
【手続補正４３】
【補正対象書類名】明細書
【補正対象項目名】００５６
【補正方法】削除
【補正の内容】